(57)【要約】      （修正有）【課題】接地された電路に対する充電を確実に回避することができ、ヒューマンエラーを防止することが可能な接地状態管理装置を提供する。【解決手段】電路の途中に接地可能に設けられた接地装置１と、無充電の電路を接地するために設けられる短絡接地器具５と、を用いて形成される電路の接地状態を管理するにあたり、短絡接地器具に、自身によって電路が接地されている場合に接地状態を示す信号を発信させる無線発信部を備えた接地確認表示器を取り付け、受信装置６によって無線発信部から接地状態を示す信号を受信した場合に、接地装置の駆動制御部２による操作を無効とし（ロックし）、接地状態を示す信号を受信しなくなった場合に、接地装置の駆動制御部による操作を有効とする（ロック解除する）。【選択図】図１
2015023778.tif 000002
【特許請求の範囲】
【請求項１】
電路の途中に接地可能に設けられ、電路と大地との間に導電性の固定接触部とこの固定接触部に接離可能な導電性の接地ブレードとを備え、接地の入り切り指令に基づき前記接地ブレードを自動動作させる駆動制御部とを備える接地装置と、
無充電の前記電路を接地するために設けられる短絡接地器具と、
を用いて形成される前記電路の接地状態を管理する接地状態管理装置において、
前記接地装置による接地の有無を表示する表示手段と、
前記短絡接地器具に着脱自在に設けられ、前記短絡接地器具により前記電路が接地されている場合に、接地状態を示す信号を発信させる無線発信部を起動させ、前記短絡接地器具によって前記電路が接地されていない場合に、前記無線発信部による前記信号の発信を停止する接地確認表示器と、
前記接地確認表示器の前記無線発信部から発信された信号を受信する受信装置と、
前記受信装置により前記無線発信部から前記接地状態を示す信号を受信した場合に、前記接地装置の前記駆動制御部による操作を無効とする制御装置と
を具備することを特徴とする接地状態管理装置。
【請求項２】
前記接地確認表示器は、これが取り付けられた前記短絡接地器具の位置情報を取得する位置情報取得部を更に備え、
前記無線発信部は、前記位置情報取得部で取得した位置情報を前記接地状態を示す信号と共に発信し、
前記受信装置は、前記無線発信部から発信された位置情報を前記接地状態を示す信号と共に受信し、
前記制御装置は、前記位置情報と前記接地状態を示す信号とに基づき、前記表示手段に前記短絡接地器具による接地位置を視覚的にさらに表示させることを特徴とする請求項１記載の接地状態管理装置。
【請求項３】
前記短絡接地器具は複数の回線に設置され、前記無線発信部は、前記回線毎に異なる周波数で接地状態を示す信号を発信することを特徴とする請求項１又は２記載の接地状態管理装置。
【請求項４】
前記接地確認表示器は、これが取り付けられた前記短絡接地器具による接地状態が形成された場合に発光する発光手段を更に備えることを特徴とする請求項１乃至３のいずれかに記載の接地状態管理装置。
【発明の詳細な説明】
【技術分野】
【０００１】
本発明は、電力設備の点検や工事等を実施する際に、無充電電路を接地する短絡接地器具の取り外し忘れによる地絡事故等を未然に防止するために有効な接地状態管理装置に関する。
【背景技術】
【０００２】
発変電所に設置される屋外の開閉器は、送電線作業時などに際して電路を接地することによって作業員の安全を確保するようにしており、発変電所に設けられた動力式接地装置（以下、接地装置という）を接地入りの状態とすることによって（特許文献１参照）、また、無充電電路に短絡接地器具を取り付けることによって接地を確保するようにしている（特許文献２参照）。
【０００３】
このような接地装置による接地と短絡接地器具による接地を併用する場合は、以下の手順による操作を行うようにしている。
（１）停電回路に接地装置による接地を行う。
（２）接地装置による接地を現地からの聞き取りで確認した後、作業箇所の直近の電路に短絡接地器具を取り付けて接地を行う。
（３）短絡接地器具による接地後、作業に着手する。
（４）作業終了後、短絡接地器具による接地を外す。
（５）短絡接地器具による接地が全て外されたことを確認した後、接地装置による接地を外す。
（６）停電回路を充電（試充電）する。
【０００４】
なお、動力接地装置の制御は、制御所からの操作信号で動作し、接地の入り切りが遠隔制御されるようになっており、また、動力接地装置の接地の有無は、後述する図６に示されるように、制御所の表示装置に表示される系統画面上に視覚的に表示され（物理的に表示され）、確認できるようになっている。
【先行技術文献】
【特許文献】
【０００５】
【特許文献１】特開２０１３−０４１６８９号公報
【特許文献２】特開２００９−２４７０４４号公報
【発明の概要】
【発明が解決しようとする課題】
【０００６】
しかしながら、上述した操作は、細心の注意を払って行われるものであるが、短絡接地器具による接地の付け外しは、電話等による現地からの聞き取り確認のみで行われ、制御所の系統画面には接地装置の有無のみが表示され、短絡接地器具の有無は表示されないため、制御所の表示装置による視覚的な確認（物理的な確認）を行うことができない状態にある。
このため、短絡接地器具による接地が外れていない状態を確認しきれず、短絡接地器具による接地が行なわれた状態で充電する恐れが依然としてあり、ヒューマンエラーを起こす可能性を否定できないものであった。
【０００７】
本発明は、係る事情に鑑みてなされたものであり、接地された電路に対する充電を確実に回避することができ、ヒューマンエラーを防止することが可能な接地状態管理装置を提供することを主たる課題としている。
【課題を解決するための手段】
【０００８】
上記課題を達成するために、本発明に係る接地状態管理装置は、電路の途中に接地可能に設けられ、電路と大地との間に導電性の固定接触部とこれに着脱可能な導電性の接地ブレードとを備え、接地の入り切り指令に基づき前記接地ブレードを自動動作させる駆動制御部とを備える接地装置と、無充電の前記電路を接地するために設けられる短絡接地器具と、を用いて形成される前記電路の接地状態を管理する接地状態管理装置であって、前記接地装置による接地の有無を表示する表示手段と、前記短絡接地器具に着脱自在に設けられ、前記短絡接地器具により前記電路が接地されている場合に、接地状態を示す信号を発信させる無線発信部を起動させ、前記短絡接地器具によって前記電路が接地されていない場合に、前記無線発信部による前記信号の発信を停止する接地確認表示器と、前記接地確認表示器の前記無線発信部から発信された信号を受信する受信装置と、前記受信装置により前記無線発信部から接地状態を示す信号を受信した場合に、前記接地装置の前記駆動制御部による操作を無効とする制御装置とを具備することを特徴としている。
【０００９】
したがって、短絡接地器具の接地状態が残っている場合には、その短絡接地器具に取り付けられた接地確認表示器から接地状態を示す信号が発信させ続けるので、その信号を受信装置で受け続けることで、制御装置により接地装置の駆動制御部による操作が無効となり、接地装置の接地の切り操作が行われない状態となり、また、表示手段による接地表示の状態が解除されない状態となる。このため、接地装置の接地状態を解除できなくなると共に、表示装置によって停電回路を充電できる状態でないことを視覚的に把握できるので、誤って接地状態にある充電回路に充電する不都合を回避することが可能となる。
【００１０】
また、前記接地確認表示器は、これが取り付けられた前記短絡接地器具の位置情報を取得する位置情報取得部を更に備え、前記無線発信部は、前記位置情報取得部で取得した位置情報を前記接地状態を示す信号と共に発信し、前記受信装置は、前記無線発信部から発信された位置情報を前記接地状態を示す信号と共に受信し、前記制御装置は、前記位置情報に基づき、前記表示手段に前記短絡接地器具の位置情報と入り状態を視覚的にさらに表示させるようにしてもよい。
【００１１】
短絡接地器具による接地が外されていない場合には、接地装置による操作が無効となるので、接地状態にある接地装置の表示手段への表示は残ることになり、視覚的に充電できない状態であることを確認できるが、この情報だけでは、短絡接地器具の外し忘れがどの箇所で生じているのか判らない状態である。しかし、上述のように、接地されている短絡接地器具の位置情報を表示手段に表示させることで、どの箇所で短絡接地器具が外し忘れているのかを視覚的に把握することが可能となり、早急に対応することが可能となる。
【００１２】
さらに、前記短絡接地器具は複数の回線に設置され、前記無線発信部は、前記回線毎に異なる周波数で接地状態を示す信号を発信するようにしてもよい。
このような構成においては、短絡接地器具を取り付ける回線が複数ある場合に、回線毎に接地状態の有無を確認することが可能となり、停電後に複数の回線を時間差で充電操作するような場合に、確実に接地されていない回線を充電することが可能となる。
【００１３】
なお、前記接地確認表示器は、これが取り付けられた前記短絡接地器具による接地状態が形成された場合に発光する発光手段を更に備えるようにしてもよい。
短絡接地器具に発光手段を設けることで、短絡接地器具を接地した状態を現場で視覚的に確認することができ、接地不良を避けることが可能となり、引いては、短絡接地器具の接地確認表示器の動作不良、短絡接地器具の外し忘れを防止することが可能となる。
【発明の効果】
【００１４】
以上述べたように、本発明によれば、短絡接地器具に取り付けられた接地確認表示器の無線発信部から発信された信号を受信装置で受信した場合に、接地装置の駆動制御部による操作を無効とし、接地装置の接地の切り操作が行われなくなると共に表示手段による接地装置の接地有りの状態が継続されるので、接地された電路に対する充電を確実に回避することができ、ヒューマンエラーを防止することが可能となる。
【００１５】
また、接地されている短絡接地器具の位置情報を視覚的に表示させるようにすることで、短絡接地器具の外し忘れとその場所を即座に把握することが可能となり、迅速に対応することが可能となる。
【００１６】
さらに、複数の回線に短絡接地器具を設ける場合には、回線毎に異なる周波数で接地状態を示す信号を発信するようにすることで、停電後に複数の回線を時間差で充電操作する場合に、確実に接地されていない回線を充電することが可能となる。
【００１７】
なお、前記接地確認表示器に接地状態が形成された場合に発光する発光手段を更に設けることで、短絡接地器具を接地した状態を確認することができ、接地不良や、接地確認表示器の動作不良、短絡接地器具の外し忘れを防止することが可能となる。
【図面の簡単な説明】
【００１８】
【図１】図１は、本発明に係る接地状態管理装置を示す全体構成図である。
【図２】図２は、短絡接地器具の構成例を示す図である。
【図３】図３は、無充電電路に短絡接地器具を取り付ける例を示す図である。
【図４】図４は、短絡接地器具のクランプに取り付けられる接地確認表示器を示す図であり、（ａ）はその側面図、（ｂ）はその平面図である。
【図５】図５は、短絡接地器具のクランプに接地確認表示器を取り付けた状態を示す図であり、（ａ）はその側面図、（ｂ）はその平面図である。
【図６】図６は、制御所の制御側端末の表示装置（モニタ）に表示される系統画面の例を示す図であり、（ａ）は、電気所間の系統を示す図であり、（ｂ）は、（ａ）のＤ電気所付近の詳細な系統を示す図である。
【図７】図７は、制御所の制御側端末による制御動作例を示すフローチャートである。
【図８】図８は、制御所の制御側端末の表示装置（モニタ）に表示される系統画面上に接地された短絡接地器具を表示させる例を示す図であり、（ａ）は、電気所間の系統を示す図であり、（ｂ）は、（ａ）のＤ電気所付近の詳細な系統を示す図である。
【発明を実施するための形態】
【００１９】
以下、図面を用いて本発明の実施形態を説明する。
【００２０】
図１において、接地状態管理装置は、変電所等の各電気所に設置された動力式接地装置（以下、設置装置という）１と、各接地装置１に対して設けられ、接地装置１を外部からの指令に基づき駆動制御する駆動制御部２と、駆動制御部２に対して操作信号を送信する制御所に設置される制御側端末３と、この制御側端末３に接続される表示装置（モニタ）４と、電気所間の送電線路に取り付けられる短絡接地器具５と、各短絡接地器具５から送信された信号を受信し、その結果を制御側端末３に送信する各電気所に設置された受信装置６と、この受信装置６に接続される表示装置（モニタ）７とを有して構成されている。
【００２１】
接地装置１は、電気所の断路器等に併設されるもので、大地に接地された導電性支持体１１と導電性の接地ブレード１２とを有している。接地ブレード１２は、導電性支持体１１の先端部付近に設けられた支軸１１ａを中心として略水平状態から略鉛直状態にかけて（倒れた状態から起立状態にかけて）ほぼ９０度回転するように設けられている。また、地上から所定の高さに設けられた基礎フレーム（基台）１３には長幹がいしからなる所定長の支持碍子１４が立設・固定され、この支持碍子１４の頂部には送電線２０に対する電気的接続点となる電極１５が取り付けられている。
【００２２】
接地ブレード１２が起立した状態においては、接地ブレード１２の先端部に設けられた接点が長韓がいし１４の頂部の電極１５に固定された導電性の固定接触部１６と電気的に接続され、接地状態が形成される。また、接地ブレード１２が倒された状態においては、接地ブレード１２の先端部が固定接触部１６から離れて電気的な接続が遮断され、接地状態が解除されるようになっている。
【００２３】
接地ブレード１２の支軸１１ａには駆動用モータ等のアクチュエータ１７が連結されており、このアクチュエータ１７を後述する制御側端末３から入力される接地の入り切り操作信号に基づき駆動制御部２により駆動制御することで接地ブレード１２の位置を制御するようにしている。すなわち、駆動制御部２は、「入り」の操作信号に基づき、接地ブレード１２を鉛直方向へ動かして送電線２０の接地状態を形成し、「切り」の操作信号に基づき、接地ブレード１２を水平方向へ動かして接地状態を解除するようにしている。
【００２４】
なお、接地装置１は、３相の各相ごとに設けられているが、図１においてはその１相分のみが示されている。
【００２５】
送電線２０に取り付けられる短絡接地器具５は、図２に示されるように、把持棒２１と、その先端に取り付けられ、電路に引っ掛ける部分である導電性のフック２２と、そのフック２２に一端が接続されるアース線２３と、アース線２３の他端に接続され、アースとなる接地部材４０に固定可能なクランプ２４とから構成されるそれ自体公知のものであり、例えば、図３に示されるように、送電線２０のジャンパ線２０ａにフック２２を引っ掛け、接地部材４０としての鉄塔アーム４０ａにクランプ２４を固定する。
【００２６】
クランプ２４は、クランプ本体２５と、クランプ部材２６とを備えている。クランプ本体２５は略コの字型に形成された部材であって、導電体からなるＬ字状の上側本体部２７と導電体からなるＬ字状の下側本体部２８とが絶縁部材２９を間に挟んで上下に一体化して構成されている。また、クランプ部材２６は、螺子部材２６ａと、この螺子部材２６ａの下端に回転自在に取り付けられた挟持板２６ｂとを備えており、螺子部材２６ａは、上側本体部２７の腕部２７ａに設けられたねじ孔に螺進退可能に貫通しており、腕部２７ａから上方へ突出した部分に設けられたロッド２６ｃを介して螺子部材２６ａを回転させることで、挟持板２６ｂと、下側本体部２８の腕部２８ａとの間で、接地部材４０を挟持し、クランプ２４を接地部材４０（鉄塔アーム４０ａ）に固定できるようになっている。なお、螺子部材２６ａ及び挟持板２６ｂは導電体により構成されており、上側本体部２７には前記アース線２３が接続されている。
【００２７】
そして、この短絡接地器具５のクランプ本体２５には、接地確認表示器３０が着脱自在に取り付けられている。
接地確認表示器３０は、図４及び図５に示されるように、クランプ本体２５を外側から覆うように断面略コの字型に形成された表示器本体３１を備えている。この表示器本体３１は、合成樹脂等の絶縁素材で構成されているもので、クランプ本体２５の幅と略等しい幅に形成され、クランプ本体２５の上側本体部２７の腕部２７ａを上方から覆う表示器上側腕部３１ａと、クランプ本体２５の下側本体部２８の腕部２８ａを下方から覆う表示器下側腕部３１ｂと、クランプ本体２５の腕部間を連結する部分を覆い、表示器上側腕部３１ａと表示器下側腕部３１ｂとを連結する表示器連結部３１ｃとを備えている。表示器上側腕部３１ａには、前記螺子部材２６ａを挿通可能とするスリット３２が先端から表示器連結部３１ｃに向かって形成されている。
【００２８】
また、表示器連結部３１ｃの内部には、蓋体３３で閉塞された機器収容空間３４が形成され、この機器収容空間３４には、電池からなる電源部３５、発光素子を備えた発光部３６、通電状態にある場合に所定の周波数の信号を発信する無線発信部３７とが直列接続された表示器が収容されている。これら表示器器（電源部３５、発光部３６、無線発信部３７）は、蓋体３３を外すことで交換可能となっており、直列接続した一端側は表示器上側腕部３１ａの内面（下面）に設けられた端子３８に接続され、また他端側は表示器下側腕部３１ｂの内面に設けられた端子３９に接続されている。前記クランプ本体２５に接地確認表示器３０を取り付けた状態で、クランプ２４を接地部材４０に固定すると、上側本体部２７の腕部２７ａと表示器上側腕部３１ａの端子３８とが接触し、また、下側本体部２８の腕部２８ａと表示器下側腕部３１ｂの端子３９とが接触し、表示器上側腕部３１ａ、上側本体部２７、クランプ部材２６、接地部材４０、下側本体部２８及び表示器下側腕部３１ｂを介して表示器器（電源部３５、発光部３６、無線発信部３７）に通電する電気回路が構成され、発光部３６が発光すると共に、無線発信部３７から接地状態を示す所定周波数の信号が発信されるようになっている。
【００２９】
したがって、接地確認表示器３０は、短絡接地器具５のクランプ２４が接地部材４０に取り付けられて電路が接地された状態である場合に無線発信部３７が起動して接地状態を示す信号が発信され、クランプ２４が接地部材４０から取り外されて電路の接地が解除された場合に、無線発信部３７が停止して接地状態を示す信号の発信が停止するようになっている。
【００３０】
尚、４１は、接地確認表示器３０の表示器本体３１をクランプ２４のクランプ本体２５に装着した後に固定するネジであり、このネジに代えて、図４（ｂ）及び図５（ｂ）の一点鎖線で示されるように、スリットの開放端部を開閉する回動レバー４２を設け、接地確認表示器３０のクランプ２４への固定を簡易に行えるようにしてもよい。
【００３１】
また、４３は、発光部３６の発光を外部から視認できるようにするための確認窓である。この確認窓４３は、壁面に形成された孔に透明アクリル樹脂からなる窓部材を嵌合して構成されているもので、この例では、表示器連結部３１ｃの両側面に設けられている。このような発光部３６を設けることで、短絡接地器具５による接地（クランプ２４の接地部材４０への取り付け）が確実になされているかどうかを確認することが可能となる。
【００３２】
また、接地確認表示器３０には、自身の位置情報を発信する位置情報発信機４５が設けられている。この位置情報発信機４５は、ＧＰＳ情報受信部４６と、無線発信部４７と、制御部４８とを有する。
【００３３】
ＧＰＳ情報受信部４６は、ＧＰＳ衛星の電波を受信して、その電波から受信位置（すなわち、接地確認表示器３０が取り付けられる短絡接地器具５の所在位置）を示す位置情報を演算する。無線発信部４７は、ＧＰＳ情報受信部４６で演算された位置情報を外部に無線で発信する。
【００３４】
前記受信装置６は、前記接地確認表示器３０の無線発信部３７から発信された接地状態を示す信号を当該接地確認表示器３０の位置情報（引いては、当該接地確認表示器３０が取り付けられた短絡接地器具５の位置情報）と共に受信するもので、受信した情報に基づき作業側端末の表示装置（モニタ）７に短絡接地器具５による接地情報が表示される。
【００３５】
また、受信装置６は、短絡接地器具５に取り付けられた接地確認表示器３０からの前記情報（接地状態を示す信号、及び、短絡接地器具５の位置情報）を受信した後に、その情報を制御所の制御側端末３へ送信する。
【００３６】
制御側端末３は、接地装置１を入り切りする「入り」又は「切り」に対応する操作信号を駆動制御部２に送信して接地装置を遠隔操作できるようになっており、また、制御側端末３に接続されている表示装置４には、各電気所の接地装置１の接地状態の有無が、例えば、図６に示されるように系統図上に表示されるようになっている。図中、●は、接地状態にある接地装置を、○は、接地されていない接地装置を示す。
【００３７】
また、制御側端末３は、受信装置６から短絡接地器具５による接地状態を示す信号とその短絡接地器具５の位置情報を受信している間、接地装置１の前記駆動制御部２による操作を無効とし（駆動制御部２による接地装置１の制御ができないようにロック状態とする）。
【００３８】
即ち、制御側端末３は、図７に示されるように、受信装置６からの信号を入力し（ステップ５０）、接地確認表示器３０からの短絡接地器具５の接地状態を示す信号や短絡接地器具５の位置情報の受信の有無を判定し（ステップ５２）、接地確認表示器３０からの信号の受信が有ると判定された場合には、接地装置１の駆動制御部２による操作を無効とし（駆動制御部による接地装置の制御ができないようにロック状態とし）（ステップ５４）、接地確認表示器３０からの信号（接地状態を示す信号や短絡接地器具５の位置情報）の受信が無くなったと判定された場合には、接地装置１の駆動制御部２による操作を有効とする（駆動制御部による接地装置の制御ができるようにロック状態を解除する）（ステップ５６）ようにしている。
【００３９】
したがって、送電線路上の作業が終了し、接地状態を解除する操作において、先ず、短絡接地器具による接地を外し、その後、全ての短絡接地器具５による接地が外れたことを確認した後に接地装置１による接地を外す作業が行なわれるが、仮に一部の短絡接地器具による接地を外し忘れていた場合には、その短絡接地器具によって接地状態が継続していることになるため、その短絡接地器具５に取り付けられた接地確認表示器３０からの信号が発信され続けることになり、接地装置１の駆動制御部２による操作ができない（ロック状態が解除されない）状態となる。このため、設置装置による接地状態が継続されることになるので、制御所の表示装置による接地装置の接地の有無を表示する画面においても、接地装置１の接地状態を示す表示が継続されることになり、短絡接地器具５による接地箇所がまだ残っていることを間接的に認識することが可能となる。
【００４０】
なお、上述の例では、制御所による制御側端末３に接続される表示装置（モニタ）４には、接地装置１の接地の有無が視覚的に表示され、短絡接地器具５の外し忘れがあった場合には、接地装置１の操作がロックされるので、接地装置１による接地状態を表示することをもって短絡接地器具５の外し忘れを間接的に認識できるものであったが、短絡接地器具５には、接地確認表示器３０が取り付けられて接地状態が形成されている場合には、接地状態を示す信号が短絡接地器具５の位置情報と共に発信されるので、この信号を利用して、図８に示されるように、制御所の表示装置４に表示される系統図上に接地状態にある短絡接地器具５の存在とその位置を視覚的に表示させ、この表示がなされた場合には、試充電操作ができないようにしてもよい。
【００４１】
このような構成を採用すれば、表示装置４の表示を見ることで、制御所側で短絡接地器具５の接地の外し忘れを直接的（物理的）に把握することが可能となり、また、外し忘れた短絡接地器具５の場所を即座に把握することができるので、迅速に対応することが可能となる。
また、試充電操作ができないようにする構成は、前述した構成に代えて行うことも可能であるが、前述した構成と併用することで、ヒューマンエラー（誤操作）をより確実に防止することが可能となる。
【００４２】
さらに、上述の構成においては、接地確認表示器３０の無線発信部３７から所定周波数の接地状態を示す信号を発信するようにしたが、接地する回線（短絡接地器具を取り付ける回線）が複数ある場合には、回線毎に異なる周波数で接地状態を示す信号を発信し、制御側端末３において、周波数に応じて接地装置１の駆動制御部２による操作の有効・無効を回線毎に判定するようにしてもよい。
このような構成とすることで、停電後に複数の回線を時間差を設けて充電操作するような場合に、接地されていない回線のみを確実に充電することが可能となる。
【符号の説明】
【００４３】
１  接地装置
２  駆動制御部
３  制御側端末
４  表示装置
５  短絡接地器具
６  受信装置
１２  接地ブレード
１６  固定接触部
２０  送電線
３０  接地確認表示器
３７  無線発信部
【図１】
2015023778.tif 000003
【図２】
2015023778.tif 000004
【図３】
2015023778.tif 000005
【図４】
2015023778.tif 000006
【図５】
2015023778.tif 000007
【図６】
2015023778.tif 000008
【図７】
2015023778.tif 000009
【図８】
2015023778.tif 000010